(57)【要約】【課題】本発明は、使い捨てポンプシステム及び結合器に関する。【解決手段】プッシュロッドを受容するための結合システムは、傾斜壁を有している内部チャネルと、内部チャネルの内部に受容されているピストンとを含んでいる。ピストンは、プッシュロッドに係合するために傾斜壁によって作用されるために内部チャネルの内部に配置されている、少なくとも１つの可撓性部材を含んでいる。プッシュロッドに結合するために必要な外部力が、所定の方向においてピストンに作用する軸線方向力のみである。プッシュロッドを結合解除するために必要な外部力が、反対方向においてピストンに作用する軸線方向力のみである。【選択図】図１
2015206370.tif 000002
【特許請求の範囲】
【請求項１】
プッシュロッドとモータと軸線方向における往復運動の際に前記プッシュロッドを駆動するためのトランスミッションとを収容しているポンプコンソールであって、前記ポンプコンソールが、ポンプインタフェースを含んでいる、前記ポンプコンソールと、
前記プッシュロッドが使い捨てポンプの内部を延在するように、前記プッシュロッドの往復運動の軸線に一致する軸線方向において使い捨てポンプを前進させることによって、ポンプインタフェースと取り外し可能に結合するように構成されている前記使い捨てポンプであって、前記使い捨てポンプが、流入室を形成している流入部分と流出室を形成している流出部分とを有しているハウジングを含んでおり、前記流入部分及び前記流出部分が、前記ハウジングの内部に並列に配置されており、前記流入室の弁が、前記流入室の内部に配置されており、前記流出室の弁が、前記流出室の内部に配置されており、前記ハウジングが、内部チャネルを形成しており、前記内部チャネルが、前記流入部分及び前記流出部分と流通するように、前記流入部分及び前記流出部分と軸線方向において位置合わせされており、ピストンが、前記内部チャネルの内部に配置されており、且つ、前記内部チャネルの内部において前記プッシュロッドと共に軸線方向において往復運動することによって、前記流入部分から前記内部チャネルに及び前記内部チャネルから前記流出部分に流体を送出するために、前記プッシュロッドと結合するように構成されている、前記使い捨てポンプと、
前記使い捨てポンプの前記流入部分に至る流体入口配管と、
前記使い捨てポンプの前記流出部分からの流体出口配管と、
を備えていることを特徴とするポンプシステム。
【請求項２】
前記内部チャネルが、傾斜壁を有していることを特徴とする請求項１に記載のポンプシステム。
【請求項３】
前記ピストンが、プッシュロッドに係合するために傾斜壁によって作用されるように前記内部チャネルの内部に配置されている少なくとも１つの可撓性部材を含んでいることを特徴とする請求項２に記載のポンプシステム。
【請求項４】
前記内部チャネルが、前記可撓性部材が前記プッシュロッドと係合されている際に前記ピストンが往復運動するように構成されている領域を含んでいることを特徴とする請求項３に記載のポンプシステム。
【請求項５】
前記可撓性部材が、外方に付勢されていることを特徴とする請求項３に記載のポンプシステム。
【請求項６】
複数の前記可撓性部材が、前記内部チャネルの内部に配置されており、
複数の前記可撓性部材それぞれが、前記プッシュロッドに係合するように前記傾斜壁によって作用されるために、前記内部チャネルの内部に配置されていることを特徴とする請求項３に記載のポンプシステム。
【請求項７】
複数の前記可撓性部材それぞれが、外方に付勢されていることを特徴とする請求項６に記載のポンプシステム。
【請求項８】
前記内部チャネルが、ファンネル状とされることを特徴とする請求項１に記載のポンプシステム。
【請求項９】
前記ピストンを前記内部チャネルの内部に維持するために前記内部チャネルの内部に突出している、拘束部材を備えていることを特徴とする請求項１に記載のポンプシステム。
【請求項１０】
前記ピストンが、前記プッシュロッドと結合及び結合解除するように構成されている少なくとも１つの可撓性部材を含んでおり、
前記プッシュロッドを結合するために必要な外部力が、第１の方向において前記ピストンに作用する軸線力のみであり、
前記プッシュロッドを結合解除するために必要な外部力が、前記第１の方向の反対向きである第２の方向において前記ピストンに作用する軸線力のみであることを特徴とする請求項１に記載のポンプシステム。
【請求項１１】
前記流入室の前記弁が、流入ボール弁を備えており、
前記流出室の前記弁が、流出ボール弁を備えていることを特徴とする請求項１に記載のポンプシステム。
【請求項１２】
前記流入ボール弁と前記流出ボール弁とが、約０．０１５インチの行程を有していることを特徴とする請求項１１に記載のポンプシステム。
【請求項１３】
前記ポンプインタフェースが、回転可能なスリーブを含んでおり、
前記使い捨てポンプが、前記使い捨てポンプを前記ポンプコンソールに対してロック又はロック解除するために、回転力が結合機構に作用した場合に、前記回転可能なスリーブを回転させるように構成されていることを特徴とする請求項１に記載のポンプシステム。
【請求項１４】
前記ポンプコンソールが、ロック位置において前記回転可能なスリーブを保持するための磁石を含んでいることを特徴とする請求項１３に記載のポンプシステム。
【請求項１５】
使い捨てポンプをポンプコンソールのポンプインタフェースと結合するステップと、
前記使い捨てポンプの流体入口配管を通じて、流体を前記使い捨てポンプの流入部分の流入室に運搬するステップと、
前記使い捨てポンプの前記流入室から内部チャネルに流体を運搬するために、前記流入室の内部に配置されている前記流入室の弁を移動させるステップと、
前記内部チャネルから流出室に流体を運搬するために、前記使い捨てポンプの流出部分の前記流出室に配置されている前記流出室の弁を移動させるステップであって、前記流入部分及び前記流出部分が、並列に配置されており、前記内部チャネルが、前記流入部分及び前記流出部分と軸線方向において位置合わせされている、前記ステップと、
を備えている方法において、
前記流入室の前記弁と前記流出室の前記弁とを移動させるステップが、前記使い捨てポンプのピストンを移動させるために、軸線方向における往復運動の際に前記ポンプコンソールのプッシュロッドを駆動させることを含んでおり、前記プッシュロッドが、前記内部チャネルと前記内部チャネルの内部に配置されている前記ピストンとの内部に延在しており、前記内部チャネルの内部において前記プッシュロッドと共に軸線方向において往復運動するために、前記プッシュロッドと結合しており、
前記使い捨てポンプを前記ポンプインタフェースと結合するステップが、前記プッシュロッドの往復運動の軸線に一致する軸線方向において前記使い捨てポンプを前進させることを含んでいることを特徴とする方法。
【請求項１６】
前記使い捨てポンプを前進させることによって、前記内部チャネルの傾斜壁が、少なくとも１つの可撓性部材を前記プッシュロッドと係合するように屈曲させるように、前記ピストンの少なくとも１つの前記可撓性部材に作用することを特徴とする請求項１５に記載の方法。
【請求項１７】
前記プッシュロッドによって前記ピストンに作用される軸線方向力を作用させることによって、前記プッシュロッドと係合するように、前記ピストンを移動させるステップを備えていることを特徴とする請求項１５に記載の方法。
【請求項１８】
前記プッシュロッドによって前記ピストンに作用される軸線方向力を作用させることによって、前記ピストンを前記プッシュロッドから係合解除するステップを備えていることを特徴とする請求項１５に記載の方法。
【請求項１９】
前記使い捨てポンプを前記ポンプコンソールに対してロック又はロック解除するために、回転力を作用させるステップを備えていることを特徴とする請求項１５に記載の方法。
【発明の詳細な説明】
【背景技術】
【０００１】
生理的食塩水の高圧噴流は、外傷性創傷、緩性創傷、及び他の組織障害を創面切除するために利用される一方、健常な組織を保護し、治癒過程を促進するために利用される。創傷の創面を切除するシステムは、使い捨てハンドセットに給電するコンソールを含んでいる。ハンドセットは、流体供給配管と、流体を加圧するためのピストン組立体と、高圧流体をハンドセットのハンドピースに供給する高圧出口ホースと、を有しているポンプ組立体を含んでいる。ポンプ組立体は、直線的な往復行程によって給電される。コンソールは、最大６００Ｗ（０．８ＨＰ）の電力及び最大２０００ｌｂｓを発生させ、ポンプは、流体を最大１７３００ｐｓｉまで加圧する。
【先行技術文献】
【特許文献】
【０００２】
【特許文献１】米国特許出願公開第２００３／０１２５６６０号明細書
【特許文献２】米国特許出願公開第２００４／０２３４３８０号明細書
【特許文献３】米国特許出願公開第２００６／０２６４８０８号明細書
【特許文献４】国際公報第２００８／０８３２７８号
【発明の概要】
【発明が解決しようとする課題】
【０００３】
一の実施態様では、例えば駆動コンソールのプッシュロッドを受容するための、例えば使い捨てポンプシステムの結合システムは、傾斜壁を有している内部チャネルを形成しているハウジングと、内部チャネルの内部に受容されているピストンとを含んでいる。ピストンは、プッシュロッドに係合するために傾斜壁によって作用されるように内部チャネルの内部に配置されている、少なくとも１つの可撓性部材を含んでいる。
【０００４】
他の実施態様では、プッシュロッドを受容するための結合システムは、内部チャネルを形成しいているハウジングと、内部チャネルの内部に受容されているピストンとを含んでいる。ピストンは、プッシュロッドに係合するために壁によって作用されるように内部チャネルの内部に配置されている、少なくとも１つの部材を含んでいる。
【課題を解決するための手段】
【０００５】
これら実施態様及び他の実施態様は、以下の特徴のうち１つ以上の特徴を含んでいる。可撓性部材は外方に付勢されている。多数の可撓性部材は、プッシュロッドに正確に係合するために傾斜壁によって作用されるように、内部チャネルの内部に配置されている。多数の可撓性部材それぞれが外方に付勢されている。内部チャネルは、ピストンが流体を送出するために往復運動する領域を含んでいる。内部チャネルは、ファンネル状とされ、傾斜壁領域と拘束された直径領域とを有している。内部チャネルの内部にピストンを維持する拘束部材が、内部チャネルの内部に突出している。
【０００６】
他の実施態様では、プッシュロッドを受容するための結合システムが、内部チャネルを形成しているハウジングと、内部チャネルの内部に受容されているピストンとを含んでいる。
【０００７】
当該実施態様及び他の実施態様は、以下の特徴のうち１つ以上の特徴を含んでいる。ピストンは、プッシュロッドと結合及び結合解除するように構成されている、少なくとも１つの部材を含んでいる。プッシュロッドに結合するために必要な外部力は、第１の方向においてピストンに作用する軸線方向力のみである。プッシュロッドとの結合を解除するために必要な外部力は、第１の方向の反対方向である第２の方向においてピストンに作用する軸線方向力のみである。
【０００８】
他の実施態様では、方法は、結合システムのピストンがプッシュロッドと接触するように、結合システムを軸線方向において前進させるステップを含んでいる。ピストンは、結合システムのチャネル内部に受容されている。
【０００９】
当該実施態様及び他の実施態様は、以下の特徴のうち１つ以上の特徴を含んでいる。チャネルが傾斜壁を有している。当該方法は、傾斜壁がプッシュロッドと係合するように可撓性部材を撓ませるためにピストンの少なくとも１つの可撓性部材に作用するように、結合システムを軸線方向においてさらに前進させるステップを含んでいる。
【００１０】
他の実施態様では、方法は、ピストンとプッシュロッドとを結合するステップを含んでいる。結合するために必要な外部力が、ピストンがプッシュロッドと係合するように移動するようにプッシュロッドによってピストンに作用する軸線方向力のみである。
【００１１】
当該実施態様及び他の実施態様は、以下の特徴のうち１つ以上の特徴を含んでいる。当該方法は、ピストンとプッシュロッドとの結合を解除するステップを含んでいる。結合解除するために必要な外部力が、ピストンがプッシュロッドと結合解除するようにプッシュロッドによってピストンに作用する軸線方向力のみである。
【００１２】
他の実施態様では、流体ポンプは、流入室を形成している流入部分と流出室を形成している流出部分とを有しているハウジングと、流入室内に配置されているボールを含んでいる流入ボール弁と、流出室内に配置されているボールを含んでいる流出ボール弁と、流入部分及び流出部分と流通している内部チャネルを形成しているハウジングと、内部チャネルの内部に配置されているピストンとを備えている。ピストンは、流入部分から内部チャネル内部に、及び内部チャネルから流出部分内部に流体を送出するように構成されている。
【００１３】
当該実施態様及び他の実施態様は、以下の特徴のうち１つ以上の特徴を含んでいる。流入室の直径に対する、流入ボール弁に内蔵されているボールの直径の比は、１：１．０８８とされる。ピストンの行程に対する、流入ボール弁に内蔵されているボールの直径の比は、１：２．１６０とされる。流入ボール弁に内蔵されているボールの直径に対する、内部チャネルの直径の比は、１：１．１７８６とされる。内部チャネルを形成しているハウジングの直径に対する、流入室の直径の比は、１：３．８５７とされる。
【００１４】
当該実施態様及び他の実施態様は、以下の特徴のうち１つ以上の特徴を含んでいる。流入ボール弁と流出ボール弁とが、約０．０１５インチの行程を有している。
【００１５】
他の実施態様では、流体ポンプは、傾斜壁を有している内部チャネルを形成しているハウジングと、内部チャネルと流通しているハウジング内に形成された第１の流体室及び第２の流体室と、第１の流体室内に配置されているボールを含んでいる第１のボール弁と、第２の流体室内に配置されているボールを含んでいる第２のボール弁と、ハウジング内部に受容されているピストンとを含んでいる。ピストンが、プッシュロッドと共に移動するためにプッシュロッドに結合するように傾斜壁によって作用されるように構成されている。ピストンが往復運動することによって、流体が、第１の流体室を通じて流入し、第２の流体室を通じて流出する。
【００１６】
当該実施態様及び他の実施態様は、以下の特徴のうち１つ以上の特徴を含んでいる。ピストンが、傾斜壁によって作用されると共に外方に付勢されている、複数の部材を備えている。内部チャネルが、ファンネル状とされる。
【００１７】
他の実施態様では、ポンプシステムは、回転可能なスリーブを含んでいる共に流体ポンプを受容するインタフェースを含んでいるコンソールであって、往復運動をするプッシュロッドを含んでいるコンソールと、プッシュロッドによって駆動されるように構成されているピストンを有している流体ポンプであって、流体ポンプをコンソールに対してロック及びロック解除するために、回転力が結合機構に作用した場合に回転可能なスリーブを回転させるように構成されている、結合機構を含んでいる流体ポンプとを備えている。
【００１８】
当該実施態様及び他の実施態様は、ロック位置において回転可能なスリーブを保持するための磁石を有しているコンソールを含んでいる。
【００１９】
本願における１つ以上の実施形態の詳細については、添付図面及び以下の説明に記載されている。本発明の他の特徴及び実施態様は、発明の詳細な説明、図面、及び特許請求の範囲から明らかになるだろう。
【図面の簡単な説明】
【００２０】
【図１】駆動コンソール及び使い捨てポンプの斜視図である。
【図２】駆動コンソールが取り外された状態における、駆動コンソール及び使い捨てポンプの上面図である。
【図３】図２の断面３−３における、駆動コンソールのインタフェースの端面図である。
【図４】使い捨てポンプの側面図である。
【図５】開位置における、駆動コンソールのインタフェース及び使い捨てポンプの断面図である。
【図５Ａ】閉位置における、駆動コンソールのインタフェース及び使い捨てポンプの断面図である。
【図５Ｂ】駆動コンソールのインタフェースの回転可能なスリーブの斜視図である。
【図５Ｃ】駆動コンソールのインタフェースの端面図である。
【図６】使い捨てポンプの分解図である。
【図７】使い捨てポンプの断面図である。
【図８】使い捨てポンプのプッシュロッドを含んでいる駆動コンソールの一部分の断面図である。
【図９】使い捨てポンプのピストンが駆動コンソールのプッシュロッドと結合されている状態を表わす。
【図１０】使い捨てポンプのピストンが駆動コンソールのプッシュロッドと結合されている状態を表わす。
【図１１】使い捨てポンプのピストンが駆動コンソールのプッシュロッドと結合されている状態を表わす。
【図１２】使い捨てポンプ内部に収容されているポンプの構成部品の断面図である。
【図１３】開位置における、駆動コンソールのインタフェースのロック機構を表わす。
【図１３Ａ】ロック位置における、駆動コンソールのインタフェースのロック機構を表わす。
【発明を実施するための形態】
【００２１】
図１及び図２を参照すると、例えば例えば創傷床手術装置のような医療機器への流体の送出を調整するためのポンプシステム１０は、駆動コンソール１２を含んでいる。特許文献１、特許文献２、特許文献３、及び特許文献４に開示されるように、駆動コンソール１２は、電気機械式ドライブトレインであり、この電気機械式ドライブトレインは、モータ１４と、回路を含んでいる配電盤１５と、プッシュロッド１８（図８参照）を駆動するためのトランスミッション１６とを収容している。これら特許文献はすべて、参照により本願に組み込まれている。ポンプシステム１０は、以下においてさらに説明するように、バルブポンプ構成部品を収容している使い捨てポンプ２０を含んでいる。使い捨てポンプ２０は、プッシュロッド１８が、入口配管２４から使い捨てポンプ２０内部に流体を引き込み、加圧された流体を出口配管２６を通じて送出させ、これにより流体を医療機器に運搬するために使い捨てポンプ２０のポンプ構成部品に作用するように、駆動コンソール１２のインタフェース２２と取り外し可能に結合している。
【００２２】
図３〜図５を参照すると、駆動コンソールのインタフェース２２が、最も外側の楕円状ボア３２が貫通して延在している表面３０を有している、ハウジング２３を含んでいる。シェルフ３３が、楕円状ボア３２と円筒状ボア３４とが接触する地点（intersection）に形成されるように、楕円状ボア３２の後方では、ハウジング２３は、楕円状ボア３２の長径より大きな直径を有している円筒状ボア３４を含んでいる。円筒状ボア３４は、ハウジング２３に対して相対的に回転可能なスリーブ１１５を受容しており、スリーブ１１５の回転を実現するために、ベアリング１２５を含んでいる。シェルフ３８が、楕円状ボア３５と楕円状ボア３５の長径より小さな直径を有している円筒状ボア３７とが接触する地点に形成されるように（図５Ｂ及び図５Ｃ参照）、スリーブ１１５は、楕円状ボア３５及び円筒状ボア３７を形成している。スリーブ１１５は、さらなる円筒状ボア３６を形成している。
【００２３】
使い捨てポンプ２０は、円筒状インサート部分４２と中央カップリング部分４４とハンドル４６とを備えている、ポンプハウジング４０を有している。円筒状インサート部分４２は、ハウジング２３の円筒状ボア３６内部に受容されており、中央カップリング部分４４は、使い捨てポンプ２０を駆動コンソール１２にロックするために、楕円状ボア３２，３５及び円筒状ボア３７の内部に受容されている。中央カップリング部分４４は、結合インサート部分４２の直径Ｄ２より大きな直径Ｄ１を有している円筒状部分４８を含んでいる。例えば楕円状フランジ５０のような結合機構が、円筒状部分４８から外方に延在しており、駆動コンソールのインタフェース２２の楕円状ボア３５内部に受容される大きさとされる。
【００２４】
作業者は、使い捨てポンプ２０を駆動コンソール１２に堅固に取り付けるために、使い捨てポンプ２０の楕円状フランジ５０がハウジング２３の楕円状ボア３２を通じてスリーブ１１５の楕円状ボア３５内部に受容されるように位置決めされた状態において、楕円状ボア３２を通じて円筒状ボア３６内部に円筒状インサート部分４２を挿入する。使い捨てポンプが、使い捨てポンプの楕円状フランジ５０が駆動コンソールのインタフェースのシェルフ３８に当接している位置に挿入された場合には、作業者は、使い捨てポンプのハンドル４６を９０°回転させることによって、シェルフ３３，３８の間において楕円状フランジ５０をロックする（図５Ａ参照）。スリーブ１１５は使い捨てポンプ２０と共に回転するので、楕円状フランジ５０がシェルフ３３，３８同士の間においてロックされる。作業者は、使い捨てポンプの楕円状フランジ５０と楕円状ボア３２とを位置合わせするために、ハンドル４６を反対方向に回転させ、使い捨てポンプを駆動コンソールから引っ張ることによって、使い捨てポンプ２０を駆動コンソール１２から解放する。回転可能なスリーブ１１５をロック位置に保持するための磁石１１８（図１３参照）を含んでいるプレート１１６が、駆動コンソールのインタフェース２２のスリーブ１１５の裏面に取り付けられている。
【００２５】
図５及び図６を参照すると、使い捨てポンプ２０は、中央カップリング部分４４及び円筒状インサート部分４２内部に受容されているボール弁組立体５２と、円筒状インサート部分４２内部に受容されているプッシュロッド−ピストン結合システム５４とを含んでいる。ボール弁組立体５２は、入口流路６７と入口弁室６９とを形成している流入部材６６を含んでいる。ボール８０は、入口弁室６９内部に収納されており、Ｏリングシール７８は、流入部材６６の外面に形成された溝７１内部に配置されている。弁座７０が、入口流路６７と入口弁室６９とが接続している地点に形成されている。また、ボール弁組立体５２が、出口弁室７３及び出口流路７５を形成している流出部材６８を含んでいる。ボール８０は、出口弁室７３内部に収納されており、Ｏリングシール７８は、流出部材６８の外面に形成された溝７１内部に配置されている。また、スクリーン８２及びスクリーン保持器８２ａが、出口弁室７３内部に配置されている。
【００２６】
中央カップリング部分４４が、流入部材６６及び流出部材６８それぞれを受容するボア６０，６２を形成しており、円筒状インサート部分４２は、流入部材６６及び流出部材６８それぞれを受容するボア６０ａ，６２ａを形成している。円筒状インサート部材４２は、中央カップリング部分４４に形成された皿穴７７内部に受容されており、ピン８４によって中央カップリング部分４４に固定されている。使い捨てポンプのハンドル４６は、入口流路６７と流通しているボア５６と、出口流路７５と流通しているボア５８とを形成している。入口配管２４及び出口配管２６は、ボア５６，５８それぞれの内部に受容されている。
【００２７】
さらに、円筒状インサート部分４２は、流入流路８５及び流出流路８７と流体室８９とを形成している。弁座７２が、流出流路８７と出口弁室７３とが接続している地点に形成されている。さらに以下に説明するように、動作中において、流体は、入口配管２４を通じて入口流路６７及び弁室６９の内部に送出され、入口流路８５を通じて流体室８９内部に送出される。そして、流体は、流出流路８７を通じて弁室７３内部に送出された後に、出口流路７５を通じて出口配管２６に送出される。
【００２８】
また、図７を参照すると、プッシュロッド−ピストン結合システム５４は、円筒状インサート部分４２内部に形成されている内部チャネル９４を含んでいる。内部チャネル９４は、流体室８９を形成している円筒状ボア部分９１と、内部チャネル９４がファンネル状となるように外側に傾斜している壁を有している傾斜壁部分９６とを有している。内部チャネル９４は、プッシュロッド１８を受容するための開端部９９を有している。以下に説明するように、ピストン８６が、駆動コンソールのプッシュロッド１８に接続している４つの可撓性部材８８を含んでおり、円筒状ボア部分９１及び傾斜壁部分９６の内部に滑動可能に受容されている。また、例えば止め輪のような拘束部材９０が、ピストンが円筒状インサート部分４２から滑脱することを防止するために内部チャネル９４内部に突出しており、傾斜壁部分９６内部に配置されている。
【００２９】
図８に表わすように、動作中において、ピストン８６は使い捨てポンプ２０をプッシュロッド１８に結合している。モータ１４及びトランスミッション１６によって、プッシュロッド１８が往復運動することができるので、順番に、ピストン８６が往復運動し、ポンプ室８９に対して流体を導入すること及び送出することができる。図９を参照すると、ピストン８６の可撓性部材８８は外方に付勢されているので、使い捨てポンプ２０を駆動コンソール内部に挿入すること、及び、使い捨てポンプ２０を駆動コンソールから取り外すことによって、ピストン８６の可撓性部材８８は、容易にプッシュロッド１８に接続すること、及び、プッシュロッド１８から接続解除することができる。使い捨てポンプ２０が駆動コンソール内部に挿入されている場合には、プッシュロッド１８が開端部９９を通じて傾斜壁部分９６に入り、最初にピストン８６がプッシュロッド１８に係合する。使い捨てポンプ２０を矢印Ａの向きにさらに進めると、プッシュロッド１８は、矢印Ａの反対向きである共に円筒状ボア部分９１に向いている矢印Ｂの向きにおいて、ピストン８６を傾斜壁部分９６の下方に押圧する。傾斜壁部分９６は、可撓性部材８８のフック部材１００がプッシュロッド１８の溝１０１内部に受容され、ピストン８６をプッシュロッド１８に結合するまで、可撓性部材８８を圧縮するように作用する（図１０参照）。従って、プッシュロッド１８とピストン８６とを結合するために必要な外部力は、プッシュロッド１８が矢印Ｂの向きにおいてピストン８６に作用させる軸線方向力のみである。このようにして、ピストン８６は、軸線方向に進んでプッシュロッド１８と接触した場合に、最初にプッシュロッド１８に係合し、使い捨てポンプ２０がさらに軸線方向に進んだ場合には、プッシュロッド１８と結合する。使い捨てポンプ２０が所定位置でロックされると、ピストン８６が、図１０に表わす位置と図１１に表わす位置との間において往復運動する。
【００３０】
プッシュロッド１８とピストン８６との結合を解除するために、上述のように、使い捨てポンプ２０が駆動コンソールから引き抜かれる。使い捨てポンプ２０を軸線方向において矢印Ｂの向きに引き抜くことによって、ピストン８６が、矢印Ａの方向において傾斜壁部分９６に向かって移動する。可撓性部材８８が傾斜壁部分９６に入った場合には、可撓性部材８８は、自身が外方に付勢されていることに起因して外方に撓むので、使い捨てポンプ２０が完全に取り外し可能なように、プッシュロッド１８が解放される。従って、プッシュロッド１８とピストン８６との結合を解除するために必要な外部力は、プッシュロッド１８が矢印Ａの方向においてピストン８６に作用させる軸線方向力のみである。
【００３１】
動作中において、プッシュロッド１８とピストン８６とが結合している場合には、図１１に表わす位置から図１０に表わす位置にピストン８６を移動させることによって、流体が入口配管２４から流体室８９内部に引き込まれる。そして、図１１に表わす位置から図１０に表わす位置にピストン８６を移動させることによって、加圧流体が流体室８９から押し出され、出口配管２６に送られる。プッシュロッド１８がピストン８６を往復運動させることによって、流体が連続的に送出される。
【００３２】
図１２を参照すると、プッシュロッド１８が周期的な運動をすることによって、ピストン８６が上死点（図１１参照）から下死点（図１２参照）に移動する場合には、流入室のボール８０が弁座７０から離隔するように押され、これにより流体が入口配管２４からキャビティ８９内部に吸入され、流出室のボール８０が弁座７２と係合するように押される。ピストン８６が反対方向に移動した場合には、流入室のボール８０が流入室の弁座７０と係合するように押され、流入室のボール８０が弁座７２から離隔するように押され、これにより流体が出口配管２６を通じて流出する。
【００３３】
使い捨てポンプ２０に入った流体の圧力は、駆動コンソールに対する液体供給バッグの高さに依存するが、例えば大気圧から大気圧より２ｐｓｉ高い圧力の範囲とされる。利用者が調整した設定に依存して、使い捨てポンプによって発生し、取り付けられたハンドピースのノズルを通じて伝播される流体の圧力は、例えば１８８２ｐｓｉ〜１５２１４ｐｓｉの範囲とされる。
【００３４】
ボール弁組立体５２の構成部品は、正確な流量及び液圧を得るために選定される。流入室及び流出室のボール８０それぞれの直径は、例えば０．１２５インチ±０．００１１インチとされる。ボール８０それぞれが、耐摩耗性を有しているステンレス鋼のボールであり、その重量は０．００４６オンスである。流入室６６及び流出室６８はそれぞれ、直径０．０６３インチ±０．００３インチの円環状断面を有している。流入室の弁の行程と流出室の弁の行程とはそれぞれ、０．０１５インチとされる。流入室の弁座の角度と流出室の弁座の角度とはそれぞれ、１１８°±２°とされる。室の直径に対するボールの直径の比は、１：１．０８８とされる。ピストンの行程に対するボールの直径の比は、１：２．１６０とされる。流入室の直径と内部チャネル９４内の空洞との比は、１：２．１９とされる。ボールの直径に対する内部チャネルの直径の比は、１：１．１７８６とされ、ボアの直径に対する流入室の直径の比は、１：３．８５７とされる。内部チャネル９４がその内部に形成されている円筒状インサート部分４２の長さは、１．２イントとされ、傾斜壁９６を有している内部チャネルの領域の長さは、０．４５インチとされる。傾斜壁９６の傾斜角は８°とされる。流入部分７４及び流出部分７６に取り付けられている円筒状インサート部分４２の端部は、内部チャネル８０６内において９０°のテーパ状とされ、０．３１２インチの外径を有している。ハウジング８０４の外径は、０．３５８インチ±０．００２インチとされる。これら寸法を有している流体ポンプは、０ｐｓｉ〜１８０００ｐｓｉの範囲の圧力で動作し、０ｍｌ／ｍｉｎ．〜４００ｍｌ／ｍｉｎ．の範囲の流量で流体を送出する。
【００３５】
他の実施例であっても特許請求の範囲に属する。例えば、使い素手ポンプ２０及び駆動コンソール１２の断面形状が円環状及び楕円状でなくても、断面形状が四角状、矩形状、又はこれら形状の組み合わせであれば良い。ピストン８６が４つの可撓性部材８８を含んでいなくても、ピストンが１つ、２つ、３つ、又はそれ以上の可撓性部材を有していれば良い。
【符号の説明】
【００３６】
１０    ポンプシステム
１２    駆動コンソール
１４    モータ
１５    配電盤
１６    トランスミッション
１８    プッシュロッド
２０    使い捨てポンプ
２２    インタフェース
２３    ハウジング
２４    入口配管
２６    出口配管
３２    楕円状ボア
３３    シェルフ
３４    円筒状ボア
３５    楕円状ボア
３６    円筒状ボア
３７    円筒状ボア
３８    シェルフ
４０    ポンプハウジング
４２    円筒状インサート部分
４４    中央カップリング部分
４６    ハンドル
４８    円筒状部分
５０    楕円状フランジ
５２    ボール弁組立体
５４    プッシュロッド−ピストン結合システム
５６    ボア
５８    ボア
６０    ボア
６０ａ  ボア
６２    ボア
６２ａ  ボア
６６    流入部材（流入室）
６７    入口流路
６８    流出部材（流出室）
６９    入口弁室
７０    弁座
７１    溝
７２    弁座
７３    出口弁室
７４    流入部分
７５    出口流路
７６    流出部分
７８    Ｏリングシール
８０    ボール
８２    スクリーン
８２ａ  スクリーン保持器
８５    流出流路
８６    ピストン
８７    流出流路
８８    可撓性部材
８９    流体室
９０    拘束部材
９１    円筒状ボア部分
９４    内部チャネル
９６    傾斜壁部分
９９    開端部
１００    フック部材
１０１    溝
１１５    スリーブ
【図１】
2015206370.tif 000003
【図２】
2015206370.tif 000004
【図３】
2015206370.tif 000005
【図４】
2015206370.tif 000006
【図５】
2015206370.tif 000007
【図５Ａ】
2015206370.tif 000008
【図５Ｂ】
2015206370.tif 000009
【図５Ｃ】
2015206370.tif 000010
【図６】
2015206370.tif 000011
【図７】
2015206370.tif 000012
【図８】
2015206370.tif 000013
【図９】
2015206370.tif 000014
【図１０】
2015206370.tif 000015
【図１１】
2015206370.tif 000016
【図１２】
2015206370.tif 000017
【図１３】
2015206370.tif 000018
【図１３Ａ】
2015206370.tif 000019